(57)【特許請求の範囲】
【請求項１】
内容器（２）を囲んだ外装ケース（３）の上端に肩部材（４）を結合し、内容器（２）と外装ケース（３）との間に断熱材（７）を充填し、肩部材（４）の上端に螺着する上蓋（１９）と、内容器（２）口元を密に覆う中蓋（２０）とからなる蓋体（６）を着脱自在に装着し、内容器（２）の下端前壁に蛇口（１２）を突設し、この蛇口（１２）に外部の操作レバー（１７）にて内容器（２）内の液体を外部へ注出する注出機構（８）を設け、蛇口（１２）の閉鎖状態を注出機構（８）の操作レバー（１７）の作動と内容器（２）口元の密閉状態とにて操作する液体容器（１）に於いて、上記中蓋（２０）に内容器（２）内と外部とを連通する小孔（２１）を設け、この小孔（２１）を開閉する密閉板（３４）を設け、蓋体（６）内に密閉板（３４）を操作する密閉板開閉機構（２２）を設け、上蓋（１９）中央上面より押圧操作にて密閉板開閉機構（２２）を操作して、注出機構（８）の作動による蛇口（１２）の開閉に合わせて、中蓋（２０）の小孔（２１）を開閉することを特徴とした液体容器。
【発明の詳細な説明】
【０００１】
【産業上の利用分野】
本発明は飲料水等の液体を収容するための液体容器、特に蛇口を備えた注出機構にて液体容器内の液体を外部へ注出する液体容器に関するものである。
【０００２】
【従来の技術】
従来、液体容器は内容器を囲んだ外装ケースの上端に肩部材を結合し、下端に底部材を結合し、内容器と外装ケースとの間に断熱材を充填し、肩部材の上端に内容器口元を覆う蓋体を着脱自在に装着し、内容器内の液体を上下動自在な操作レバーにて蛇口より外装ケース外へ注出する操作レバー式の注出機構を設けていた。
【０００３】
この従来の液体容器では誤って操作レバーを軽く下げた場合、特に運搬時、操作レバーに身体の一部が接触して操作レバーを下げると蛇口より液体を注出し、その周辺を濡らしたり、又は衣服を濡らしていた。
このために、この注出機構の操作レバーにロック機構を取り付け、不使用時に蛇口より液体を注出することがないようにしていた。
【０００４】
【発明が解決しようとする課題】
ところが、この種の液体容器では、注出機構の操作レバーのためのロック機構の構造が複雑で、部品点数が多く、組立作業も煩雑で大幅な製品のコスト高となっていた。
又、液体容器の内容器口元は完全に密閉すると注出機構の蛇口から液体を注出することが困難なために、この内容器口元は覆われた蓋体との間に常に隙間が設けられることとなっていた。そのために、隙間が余り大きくなると、液体容器の転倒時に一気に内容器内の液体が排出されるという問題点があった。従って、この内容器口元と蓋体との嵌合を常に設計上考慮しなければならず、煩わしい作業となっていた。
【０００５】
そこで、本発明はこのような従来の液体容器が有していた課題を解決したものであって、
蓋体中央上面の密閉板開閉機構による押圧操作をワンタッチで行い得、内容器口元の空気流出、停止を制御することにより、空気流出で蛇口からの液体注出をスムーズに行うと共に、空気流出停止で不使用時の蛇口からの液体注出を確実に停止することができることを目的とした液体容器を提供するにある。
【０００６】
【課題を解決するための手段】
上記目的を達成するために、本発明の液体容器は、内容器２を囲んだ外装ケース３の上端に肩部材４を結合し、内容器２と外装ケース３との間に断熱材７を充填し、肩部材４の上端に螺着する上蓋１９と、内容器２口元を密に覆う中蓋２０とからなる蓋体６を着脱自在に装着し、内容器２の下端前壁に蛇口１２を突設し、この蛇口１２に外部の操作レバー１７にて内容器２内の液体を外部へ注出する注出機構８を設け、蛇口１２の閉鎖状態を注出機構８の操作レバー１７の作動と内容器２口元の密閉状態とにて操作する液体容器１に於いて、上記中蓋２０に内容器２内と外部とを連通する小孔２１を設け、この小孔２１を開閉する密閉板３４を設け、蓋体６内に密閉板３４を操作する密閉板開閉機構２２を設け、上蓋１９中央上面より押圧操作にて密閉板開閉機構２２を操作して、注出機構８の作動による蛇口１２の開閉に合わせて、中蓋２０の小孔２１を開閉する構成としている。
【０００７】
【発明の実施の形態】
以下、本発明の実施例について図に基づき説明する。
図中、図１は本発明実施例の縦断面図、
図２は本発明実施例の注出状態を示す縦断面図、
図３は本発明実施例の蓋体の縦断面図、図４は本発明の密閉板開閉機構の他の実施例を示す縦断面図、図５は本発明の密閉板開閉機構の別実施例を示す一部断面図である。
【０００８】
液体容器１は内容器２と、内容器２を囲んだ外装ケース３と、外装ケース３の上端に結合した肩部材４と、外装ケース３の下端に結合した底部材５と、肩部材４の上端で内容器２の口元を覆う蓋体６と、内容器２周面を覆った断熱材７と、内容器２内の液体を注出する注出機構８とから構成されている。９はハンドルである。
【０００９】
内容器２は下部をアルミニウム、ステンレス等の金属材料にて有底筒状に形成し、上部を合成樹脂材料にて筒状に形成し、上端をやや細口に形成している。この内容器２は図１に示すように、下部側の上端を外側に折り曲げて、上部側の下端二股状内に嵌め込んで形成している。
外装ケース３は薄い鉄板を円筒状にハゼ折りし、上下端を内側へ折り曲げている。
【００１０】
肩部材４は下端を外装ケース３の上端と無理嵌め結合した外側壁部１０と、この外側壁部１０の内側上部に一体形成した肩部１１とを設けている。
この肩部１１は中央を大きく開口しており、この開口を形成する周壁の下壁に内容器２の上部側と嵌合する嵌合溝を形成し、肩部１１の外周壁に後述の蓋体６を螺着する螺子部を設けている。
【００１１】
断熱材７は内容器２と外装ケース３、内容器２と肩部材４、内容器２と底部材５との各隙間に発泡ウレタン等にて充填されている。
この充填された断熱材７によって、内容器２の上部側と下部側との結合部、外装ケース３の上端と肩部材４との結合部、及び外装ケース３の下端と底部材５との結合部をより密に結合している。
【００１２】
底部材５は上端を外装ケース３の下端と無理嵌め結合し、下端に折り畳みタイプの脚をを３〜４個設けている。
注出機構８は図１に示すように、内容器２内の液体を外部へ注出する蛇口１２を備えた蛇口本体１３と、蛇口本体１３内の液体通路を開閉する弁体１４と、弁体１４を支える軸棒１５と、弁体１４にて常時液体通路を閉鎖するスプリング１６と、軸棒１５の突端に当接して弁体１４を操作する操作レバー１７と、外装ケース３外側より貫通して内容器２内に挿通した蛇口本体１３を固定するナット１８とからなっている。
【００１３】
この注出機構８は図１に示すように、常時は操作レバー１７を起立して、蛇口１２に連通する蛇口本体１３内の液体通路を弁体１４にて閉鎖している。
この注出機構８は後述の蓋体６の密閉板開閉機構２２によって、中蓋２０の小孔２１を開放した状態であれば、図２に示すように、操作レバー１７を倒すとスプリング１６に抗して操作レバー１７の後端が軸棒１５を内容器２内方へ押圧する。
【００１４】
この軸棒１５の押圧により弁体１４が同時に押圧されて、蛇口本体１３内の液体通路と蛇口１２とを連通して内容器２内の液体を注出することができる。
更に、操作レバー１７を起立するとスプリング１６の復帰にて軸棒１５と共に弁体１４を前方へ押圧し蛇口本体１３内の液体通路と蛇口１２とを閉鎖することとなる。
【００１５】
この注出機構８は操作レバー１７の操作にて行っているが、この操作レバー１７に代わって軸棒１５の突端を大きく前方へ突出して、操作レバー１７を兼用しても全く支障なく行うことができる。
又、この注出機構の構造に拘わらず、公知の注出機構の構造であっても、何ら支障をきたすものではない。
【００１６】
蓋体６は肩部１１の螺子部に螺着する上蓋１９と、内容器２内の口元と連通した肩部１１の中央の開口を密に覆う中蓋２０と、中蓋２０の中央に形成した小孔２１を開閉する密閉板開閉機構２２とからなっている。
２３は内容器２口元を密閉するためのシールパッキンである。
【００１７】
上蓋１９は中央に下向きに開口した中央案内筒２４を設けている。この中央案内筒２４は外周壁に後述の固定筒３２と螺着するネジを刻設しており、内周面に上部を小径部、下部を大径部とし、小径部に周方向に沿って順次深溝、中間部、浅溝、中間部を等間隔に形成している。この深溝及び浅溝には後述の押ボタン２９の係合突起３５が上下動自在に嵌合している。この浅溝、中間部の下端は同一方向に傾斜面を形成している。
中蓋２０は中央に小孔２１を形成し、その周りに間隔を隔てて中蓋中央筒２８を形成している。この中蓋中央筒２８の上端には後述の固定筒３２を螺着するネジ部を設けている。
【００１８】
密閉板開閉機構２２は上蓋１９の中央案内筒２４を上下動する押ボタン２９と、押ボタン２９の下側にあって中央に軸３０を垂下した作動筒３１と、この作動筒３１を覆った固定筒３２と、作動筒３１と固定筒３２との間のバネ３３とからなっている。
軸３０は固定筒３２の中央を貫通し下端に中蓋２０の小孔２１を開閉する密閉板３４を設けている。
【００１９】
押ボタン２９は外周下端に複数個の係合突起を下端面に三角歯状の凹凸をそれぞれ設けている。
作動筒３１は下端外周に前記係合突起に比較してラジアル方向の突出量が大である突子を設けている。これら突子の数は前記係合突起の数の半数である。
【００２０】
固定筒３２は有底筒状で底の中央に軸３０を貫通する中央孔を形成し、下部外周に中蓋２０のネジ部に螺着する外周ネジと、上部内周に上蓋１９の中央案内筒２４外周と螺着する内周ネジを設けている。
軸３０は下端に密閉板３４を一体的に形成し、この密閉板３４外周壁にパッキンを張設しており、軸３０の降下時、この密閉板３４にて中蓋２０の小孔２１をパッキンを介して密閉している。
【００２１】
密閉板開閉機構２２では中蓋２０の小孔２１の開放時に作動筒３１の突子が中央案内筒２４の深溝に嵌め込まれた位置にあるが、押ボタン２９を押し下げると、係合突起を介して下動される。突子が中間部の下先端より下方に押し下げられると、係合突起と突子とが傾斜状に接触していることに起因して、突子は横動する。更に、押ボタン２９から手を離すと、バネ３３の復元力により作動筒３１は上動せんとするが、その突子の上動が浅溝下方の傾斜面により阻止され、作動筒３１は停止され、閉鎖状態となる。
【００２２】
このように、本実施例では押ボタン２９、作動筒３１、固定筒３２、中央案内筒２４、及びバネ３３の作用によって、最初の押動操作により押ボタン２９、及び密閉板３４を閉鎖状態に維持でき、次の押動操作により押ボタン２９、及び密閉板３４を開放状態に復帰することができるようにしている。
【００２３】
しかしながら、この密閉板開閉機構２２は図４に示すように、押ボタンに変わるレバー２９’を起立すると、軸３０’と共に軸３０’の下方に設けた密閉板３４’を下動させて、中蓋２０の小孔２１を開放する。更に、レバー２９’を横倒するとバネ３３’の復帰にて軸３０’と密閉板３４’とを押上げ、中蓋２０の小孔２１を密閉板３４’にて閉鎖する機構であってもよい。
【００２４】
又、この密閉板開閉機構２２は図５に示すように、中蓋２０の小孔２１を中蓋２０下側よりゴム等の弾性板の密閉板３４’’にて覆うように設けて、閉鎖する機構であってもよい。
【００２５】
この密閉板開閉機構２２は中蓋２０の小孔２１を密閉板３４にて開閉でき、その操作が確認できる構造のものであれば、従来の例えば、栓式の栓回動操作による開閉機構、スライド釦の摺動操作による密閉板開閉機構、レバーの押圧操作による密閉板開閉機構等であっても何ら支障をきたすものではない。
【００２６】
次に、操作について説明する。
内容器２内の液体を蛇口１２より注出するには、先ず、蓋体６に備えた密閉板開閉機構２２の押ボタン２９を押圧すると、固定筒３２上のバネ３３が作動して押ボタン２９と共に作動筒３１を上方へ押上げると同時に軸３０を上方へ押上げ、軸３０下端の密閉板３４と中蓋２０の小孔２１との間に隙間を設け、内容器２口元の密閉状態が開放される。
【００２７】
このとき押ボタン２９の上端は上蓋１９の上面よりも上方へ押し上がった状態を維持している。
この開放状態で注出機構８の操作レバー１７を前方へ倒すと、軸棒１５が押圧され弁体１４を内容器２内側へ押圧、蛇口本体１３内の液体通路と蛇口１２とが連通して、蛇口１２より内容器２内の液体を注出することができる。
【００２８】
次に、操作レバー１７を起立させると、スプリング１６が復帰して蛇口本体１３内の液体通路と蛇口１２とが弁体１４にて閉鎖される。更に、密閉板開閉機構２２の押ボタン２９を押下げると、バネ３３を圧縮した状態とし、作動筒３１、軸３０、及び密閉板３４を押下げ、密閉板３４にて中蓋２０の小孔２１を閉鎖することとなる。
【００２９】
この中蓋２０の小孔２１が密閉板３４にて閉鎖されていると、内容器２の口元は完全に密閉状態となるために、内容器２内の液体には外圧が全くかからなくなって、注出機構８の操作レバー１７を倒しても蛇口１２から注出することはない。従って、上蓋１９より上方に密閉板開閉機構２２の押ボタン２９が突出したときにのみ、注出機構８の操作レバー１７の操作にて蛇口１２より内容器２内の液体が注出できるのである。
【００３０】
以上本発明の代表例と思われる実施例について説明したが、本発明は必ずしもこれらの実施例構造のみに限定されるものではなく、本発明にいう前記の構成要件を備え、かつ本発明にいう目的を達成し、以下にいう効果を有する範囲内において適宜改変して実施することができるものである。
【００３１】
【発明の効果】
以上の説明から既に明らかなように、本発明にいうところの液体容器は内容器を囲んだ外装ケースの上端に肩部材を結合し、内容器と外装ケースとの間に断熱材を充填し、肩部材の上端に螺着する上蓋と、内容器口元を密に覆う中蓋とからなる蓋体を着脱自在に装着し、内容器の下端前壁に蛇口を突設し、この蛇口に外部の操作レバーにて内容器内の液体を外部へ注出する注出機構を設け、蛇口の閉鎖状態を注出機構の操作レバーの作動と内容器口元の密閉状態とにて操作する液体容器に於いて、上記中蓋に内容器内と外部とを連通する小孔を設け、この小孔を開閉する密閉板を設け、蓋体内に密閉板を操作する密閉板開閉機構を設け、上蓋中央上面より押圧操作にて密閉板開閉機構を操作して、注出機構の作動による蛇口の開閉に合わせて、中蓋の小孔を開閉する構成としているので、蓋体中央上面の密閉板開閉機構による押圧操作をワンタッチで行い得、内容器口元の空気流出、停止を制御することにより、空気流出で蛇口からの液体注出をスムーズに行うと共に、空気流出停止で不使用時の蛇口からの液体注出を確実に停止することができるという顕著な効果を期待することが出来るに至ったのである。
【図面の簡単な説明】
【図１】本発明実施例の縦断面図、
【図２】本発明実施例の注出状態を示す縦断面図。
【図３】本発明実施例の蓋体の縦断面図。
【図４】本発明の密閉板開閉機構の他の実施例を示す縦断面図。
【図５】本発明の密閉板開閉機構の別実施例を示す一部断面図。
【符号の説明】
１…液体容器
２…内容器
３…外装ケース
４…肩部材
６…蓋体
８…注出機構
１２…蛇口
１３…蛇口本体
１４…弁体
１５…軸棒
１６…スプリング
１７…操作レバー
１９…上蓋
２０…中蓋
２１…小孔
２２…密閉板開閉機構
２３…シールパッキン
【図１】
0003683214.tif 000002
【図２】
0003683214.tif 000003
【図３】
0003683214.tif 000004
【図４】
0003683214.tif 000005
【図５】
0003683214.tif 000006